(57)【要約】【課題】  安定して障子を支えることができ、作業効率も向上することを可能とする蝶番交換のための障子保持治具を提供する。【解決手段】  建物開口部に具備した開口部装置（１０）の障子（１２）に取り付けられた蝶番（３０）を交換する際に当該障子を保持するための障子保持治具（１００）であって、障子の蝶番とは離隔したいずれかの部位に着脱可能に取り付けられた固定手段（１１０）と、棒状である操作手段（１５０、１６０）とを備えるとともに、固定手段に設けられた係合部材（１３０、１４０）と、操作手段の一端に設けられた被係合部材（１５２、１６２）とを備え、係合部材と被係合部材とを係合させるとともに操作手段の他端を建物開口部より室内側に配置し、操作手段の他端を保持することにより障子を保持することができることを特徴とする。【選択図】      図１
2007070948.tif 000002
【特許請求の範囲】
【請求項１】
建物開口部に具備した開口部装置の障子に取り付けられた蝶番を交換する際に当該障子を保持するための障子保持治具であって、
前記障子の、前記蝶番とは離隔したいずれかの部位に着脱可能に取り付けられた固定手段と、
棒状である操作手段と、を備えるとともに、
前記固定手段に設けられた係合部材と、
前記操作手段の一端に設けられた被係合部材と、を備え、
前記係合部材と前記被係合部材とを係合させるとともに前記操作手段の他端を前記建物開口部より室内側に配置し、前記操作手段の他端を保持することにより前記障子を保持することができることを特徴とする障子保持治具。
【請求項２】
前記操作手段が、長さの異なる複数の前記操作手段であることを特徴とする請求項１に記載の障子保持治具。
【請求項３】
前記固定手段に複数の前記係合部材が備えられることを特徴とする請求項１又は２に記載の障子保持治具。
【発明の詳細な説明】
【技術分野】
【０００１】
本発明は、蝶番を利用して開閉可能とした窓等の開口部装置の蝶番を交換する際に利用する治具に関し、特に障子を室内側から保持して蝶番を交換可能にする治具に関する。
【背景技術】
【０００２】
蝶番を利用して開閉可能とされた窓等の開口部装置において、蝶番の交換は、定期的に又は状況に応じて行われる重要な作業の１つである。一方で蝶番は、開口部に固定して取り付けられた枠体と当該枠体の内側に開閉可能に配置された障子とを連結し、特に障子の開放時において障子を枠体に固定して保持するための主要な部材である。従って、蝶番交換のために不用意に蝶番を取り外すと、障子は枠体から離脱してしまう。このとき、例えば２階の窓の蝶番を交換する作業であった場合、障子の枠体からの離脱は、そのまま障子が２階から落下することを意味し、重大な事故につながりかねない。
【０００３】
蝶番交換のために障子を開いた姿勢にする必要のある窓では、障子を室外側へ回動させて窓を開放するのが通常である。従って、従来において、蝶番を交換する時には、一の作業者が、開放された障子を室外側から支え、他の作業者が室内側で蝶番を交換する必要があった。さらには、２階等の上階では、室外側から脚立等で足場を設置する必要があった。
【０００４】
また、特許文献１には取り外し式自由開閉窓が開示されている。これは、障子の框と枠体とを連結する蝶番が室内側に露出して取り付けられ、当該蝶番が障子の框及び枠体の４辺の全てに取り付けられている。これにより必要に応じて必要な箇所の蝶番をはずして障子の開閉が可能であるとともに、全ての蝶番をはずせば障子の掃除及び取替えが容易であるというものである。
【特許文献１】実開平６−４０２８２
【発明の開示】
【発明が解決しようとする課題】
【０００５】
しかし、従来の方法による蝶番の交換では、一の作業者が室外側から障子を支えておく必要があり、特に上階の作業においてはその作業者が脚立等の足場の上にいるため、不安定な状態となる虞があった。さらには、かかる問題を解決するための、例えば足場の確保等の安全対策に時間や労力がかかり、作業効率が低下したり、コストが増大するという問題もあった。
【０００６】
また、特許文献１に記載の取り外し式自由開閉窓では、窓を閉鎖した状態で蝶番が隠れてしまう窓の当該蝶番を交換する構成とはされていない。よって、当該蝶番を交換するために障子を支えることが困難であるという問題があった。
【０００７】
そこで、本発明は、蝶番交換のために障子を開いた姿勢にする必要のある窓において、その蝶番を交換するために、安定して障子を支えることで、確実に作業者や通行者の安全を確保することができ、さらには作業効率も向上させることを可能とする蝶番交換のための障子保持治具を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、建物開口部に具備した開口部装置（１０）の障子（１２）に取り付けられた蝶番（３０）を交換する際に当該障子を保持するための障子保持治具（１００）であって、障子の蝶番とは離隔したいずれかの部位に着脱可能に取り付けられた固定手段（１１０）と、棒状である操作手段（１５０、１６０）とを備えるとともに、固定手段に設けられた係合部材（１３０、１４０）と、操作手段の一端に設けられた被係合部材（１５２、１６２）とを備え、係合部材と被係合部材とを係合させるとともに操作手段の他端を建物開口部より室内側に配置し、操作手段の他端を保持することにより障子を保持することができることを特徴とする障子保持治具を提供することにより前記課題を解決する。
【００１０】
請求項２の発明は、請求項１に記載の障子保持治具（１００）で、操作手段（１５０、１６０）が、長さの異なる複数の操作手段であることを特徴とする。
【００１１】
請求項３の発明は、請求項１又は２に記載の障子保持治具（１００）で、固定手段（１１０）に複数の係合部材（１３０、１４０）が備えられることを特徴とする。
【発明の効果】
【００１２】
請求項１の発明によれば、棒状である操作手段と開口部装置の障子とを固定手段を介して連結することができ、障子の開閉を室内側から操作手段を利用しておこなうことができる。さらに、障子の開放の姿勢で操作手段の一端が室内側に延設されていることにより、室内側の一端を保持することにより、障子を回動方向だけでなく鉛直方向にも保持することができる。これにより、蝶番に障子の重さが負荷されないので、蝶番を交換することが可能となる。従って、安全で効率の良い蝶番交換ができる。
【００１３】
請求項２の発明によれば、作業をおこなう際に確保できるスペースに応じて適切な長さの操作手段を選択することができる。また、障子の開度に応じて操作手段を切り替えて使用することも可能となる。
【００１４】
請求項３の発明によれば、複数の操作手段を使用する際に、効率よく当該操作手段の切り替えをすることが可能となる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、第一実施形態にかかる障子保持治具１００が、開口部装置１０に取り付けられている一場面を模式的に示した斜視図である。図１においては紙面手前が室内側、紙面奥が室外側を示している。障子保持治具１００は、固定手段１１０と、長尺操作手段１５０と、短尺操作手段１６０とを主要部材として備えている。長尺操作手段１５０及び短尺操作手段１６０は、固定手段１１０と係合離脱が可能となっている。障子保持治具１００の詳細な構造は後に説明する。
【００１８】
一方、蝶番の交換対象となる開口部装置１０は、建物の開口部の縁に沿って取り付けられた枠体１１、１１（図１では開口部装置１０の一部を省略して示しているので、それに伴う開口部装置１０を構成する部材も一部省略して示している。以下同じ。）と、枠体１１、１１の内側に配置され、蝶番が備えられた辺を中心に回動可能とされた障子１２とを備えている。さらに障子１２はパネル１３と、当該パネル１３の縁に取り付けられた框１４、１４とを備え、当該框には把手１５が設けられている。
【００１９】
図１に示したように、障子保持治具１００の固定手段１１０が、障子１２の下部戸先に配置される。そして障子１２が、取り付けられた固定手段１１０を介して長尺操作手段１５０、及び／又は短尺操作手段１６０により操作され、保持されることで最終的に室内側から安全で安定して蝶番交換をおこなうことができる。本発明の障子保持治具１００と開口部装置１０との詳細な関係及び、蝶番交換の手順等については後で説明する。
【００２０】
次に、障子保持治具１００の構造について説明する。図２及び図３は、障子保持治具１００が備える主要部材を示す図である。図２は固定手段１１０を示した図で、（ａ）が上面図、（ｂ）が正面図、（ｃ）が下面図、（ｄ）が側面図である。図３は操作手段を示した図で、図３（ａ）は長尺操作手段１５０、図３（ｂ）は短尺操作手段１６０である。また、図３では図３（ａ）、図３（ｂ）のそれぞれの中で、上段が上面図、下段が正面図を示している。
【００２１】
固定手段１１０は、押え板１１１、受け板１１２、端部板１１３、及び底板１１４を有している。当該４つの板材で、底板１１４を底部とし、押え板１１１、受け板１１２及び端部板１１３を側面とした、箱状の部材である箱体１１５を形成する。当該箱体１１５は、上述の通り４枚の板材で形成されているので、上面及び１つの端面には板材が配置されず、箱体１１５の内側に連通した開口を有する。さらに箱体１１５は図２（ｂ）に示したように切欠き１１６を有している。当該切欠き１１６は、固定手段１１０の戸先への取り付けを容易にし、作業性を向上させている。
【００２２】
また、箱体１１５の１つの側面を形成する受け板１１２には、箱体１１５の内外を貫通した留め具１２０ａ、１２０ｂが備えられている。留め具１２０ａ、１２０ｂは、蝶ナット１２１ａ、１２１ｂと、ボルト１２２ａ、１２２ｂと、押え部材１２３ａ、１２３ｂとを有している。留め具１２０ａ、１２０ｂでは、蝶ナット１２１ａ、１２１ｂの回転操作でボルト１２２ａ、１２２ｂとの関係により、押え部材１２３ａ、１２３ｂを、押え板１１１と受け板１１２との間で移動させることができる。これにより、箱体１１５の内側に障子の戸先を差し込んで配置したとき、その厚さに対応して蝶ナット１２１ａ、１２１ｂを回転させ、押え部材１２３ａ、１２３ｂを移動し、戸体を押え部材１２３ａ、１２３ｂと受け板１１２とで強くはさんで固定することができる。よって、厚さの異なる障子であっても確実に固定手段１１０を取り付けることができる。
【００２３】
ここで、留め具１２０ａ、１２０ｂの位置及び数は、必ずしも固定手段１１０と同じである必要はない。例えば留め具を押え板側に取り付けても良く、数も１つでも良いし、３つ以上であっても良い。さらには、留め具が留め具１２０ａ、１２０ｂのような蝶ナットによるものでなくても良い。例えば六角ボルトでスパナ等を用いて固定する構成であってもよい。いずれにしても、固定手段１１０が障子の戸先に安定して固定されるための手段を備えていればよく、その形態は限定されるものではない。
【００２４】
さらに、箱体１１５の内面には保護部材１１７が備えられている。保護部材１１７はゴムによりできており、シート状のものが内面に取り付けられている。これは、箱体１１５の内側に障子の戸先を挿入して配置し、留め具１２０ａ、１２０ｂで固定したときに障子に傷等がつかないようにするためのものである。従って、障子を保護する目的を達するものであればその材質はゴムに限定されることなく、他の材質を適用しても良い。
【００２５】
また、固定手段１１０は、受け板１１２に係合部材１３０、１４０を備えている。係合部材１３０、１４０は基体１３１、１４１と、筒状体１３２、１４２とを有している。係合部材１３０、１４０は、受け板１１２の外面に箱体１１５から突出して配置され、係合部材１３０と係合部材１４０とは略水平方向同一線上に並んで備えられている。各々の係合部材１３０、１４０では、基体１３１、１４１の一端が受け板１１２に固定され、他端に筒状体１３２、１４２が固定して取り付けられている。筒状体１３２、１４２は、鉛直方向に中心軸を有し、円形断面である筒状の部材で、上下方向端部は開口している。また、端部板１１３に近い側の係合部材１３０の基体１３１の方が、他方の基体１４１よりも若干長く形成されている。これにより、係合部材１３０は、係合部材１４０より箱体１１５から多く突出して配置されている。
【００２６】
次に、長尺操作手段１５０及び短尺操作手段１６０について説明する。図３に示したように長尺操作手段１５０及び短尺操作手段１６０は、操作棒１５１、１６１と被係合部材１５２、１６２とを有している。操作棒１５１、１６１は棒状の部材で、長尺操作手段１５０の操作棒１５１の方が短尺操作手段１６０の操作棒１６２よりも長く形成されている。被係合部材１５２、１６２は、断面が円形である筒状の部材であり、その外径は、前述の固定手段１１０の係合部材１３０、１４０の筒状体１３２、１４２の内径よりも小さくされている。また、被係合部材１５２、１６２は、操作棒１５１、１６１の一端の側面に、その１つの端部を取り付けられている。よって、操作棒１５１、１６１の長軸と被係合部材１５２、１６２の中心軸とは、略直角に交差して配置されている。従って、被係合部材１５２、１６２は、筒状体１３２、１４２の内側へ挿入することが可能となっている。
【００２７】
以上のような構造を有する障子保持治具１００とすることにより、蝶番を交換するために、安定して障子を支え、確実に作業者や通行者の安全を確保することができ、さらには作業効率も向上させることを可能とする蝶番交換のための障子保持治具を提供することができる。
【００２８】
図４に、蝶番３０、３０を交換するときにおける各部材の配置及びその姿勢を示す。図４は室内側から開口部、開口部装置１０及び障子保持治具１００を見た斜視図である。図４においては、障子１２が、蝶番３０、３０の交換が可能である姿勢まで室外側に開かれている。そして、この障子１２の下部戸先から室内側に延在するように障子保持治具１００が取り付けられている。ここで、障子保持治具１００については、障子１２に取り付けられた固定手段１１０と長尺操作手段１５０とが係合部材１３０及び被係合部材１５２により係合されている。さらに長尺操作手段１５０の操作棒１５１の下面の一部が図４中にＡで示した開口部の下部水平面と接して配置されるとともに、操作棒１５１の一端が室内側に大きく延在している。図４には示していないが、当該操作棒１５１の室内側に大きく延在した端部に、当該端部の下方への荷重の負荷手段、又は上方への移動を禁止する拘束手段が備えられる。荷重の負荷及び拘束手段の方法は特に限定されるものではないが、例えば当該端部に作業者が自らの体重を負荷したり、端部をワイヤ等でいずれかの部位に固定して拘束したりすることが挙げられる。
【００２９】
以上のように各部材を配置することにより、操作棒１５１が、操作棒１５１の下面と図４中にＡで示した開口部の下部水平面との接触面を支点、室内側端部を力点、固定手段１１０との連結部を作用点とした「てこ」のように作用し、室内側から障子１２の下部戸先、つまりは障子１２を鉛直方向に支えることができる。これにより、蝶番３０、３０に負荷されていた障子１２の重量を取り除くことができ、蝶番３０、３０の交換が可能となる。
【００３０】
このように、障子保持治具１００を利用することで、室内側から安定して障子を支えることができ、確実に作業者や通行者の安全を確保することができ、さらには作業効率が向上した蝶番交換ができる。
【００３１】
次に開口部装置１０の閉鎖の姿勢から、前述した図４に示す姿勢にするまでの操作を順を追って、図５〜図９を参照しつつ説明する。図５は、室内側から開口部装置１０及び固定手段１１０を見た一場面を模式的に示す図である。最初、閉鎖状態にある開口部装置１０の障子１２を把手１５等を使用して図５に示すように適度に開け、下部戸先に固定手段１１０を取り付ける。固定手段１１０の戸先への取り付けは、箱体１１５の開口した部分（図２参照）に戸先を差し込み、留め具１２０ａ、１２０ｂにより、確実に固定することによりおこなう。このとき固定手段１１０の構造により、係合部材１３０、１４０は障子の室内側に配置されることになる。
【００３２】
次に図５に示した状態から、係合部材１４０に短尺操作手段１６０を取り付ける。図６にそのときにおける一場面を示す。図６に示すような係合部材１４０への短尺操作手段１６０を取り付けは、係合部材１４０の筒状体１４２の下方から当該筒状体１４２の内側に短尺操作手段１６０の被係合部材１６２を差し込むことによりおこなう。その結果、短尺操作手段１６０の操作棒１６１を室内外方向に移動させることにより、障子１２も追随して回動させることが可能となる。
【００３３】
図６に示した状態から、短尺操作手段１６０を使用して障子１６０を開放した場合において、係合部材１４０と、図６中にＡで示した開口部の下部水平面との距離が短尺操作手段１６０の長さより大きくなってしまった場合、前述のように、操作手段１６０が障子１２を保持しておくことができない。そこで、次に操作手段を短尺操作手段１６０から長尺操作手段１５０に交換する。図７にそのときの一場面を示す。前述のように、固定手段１１０は２つの係合部材１３０、１４０を備えている。係合部材１４０にはすでに短尺操作手段１６０が係合している。従ってここでは、係合部材１３０に長尺操作手段１５０を係合する場合を説明する。長尺操作手段１５０の係合部材１３０への係合は、短尺操作手段１６０の係合部材１４０への係合と同様の手順により行う。具体的には、係合部材１３０の筒状体１３２の下方から当該筒状体１３２の内側に短尺操作手段１５０の被係合部材１５２を差し込む。その結果、長尺操作手段１５０の操作棒１５１を室内外方向に移動させることにより、障子１２も追随して回動させることが可能となる。長尺操作手段１５０の係合を行った後、短尺操作手段１６０を係合部材１４０から離脱させる。当該離脱の手順は、係合の手順を遡るように行えば良い。
【００３４】
このように長尺操作手段１５０を係合した状態から、操作棒１５１を室外方向に移動し、さらに障子１２を開放させる。図８は、蝶番３０を交換することが可能である障子１２の姿勢とされた開口部装置１０の上面図である。図８において、障子１２は室外側に大きく開かれるとともに、長尺操作手段１５０は、固定手段１１０から室内へ延在し、その途中において、図８中にＡで示した開口部の下部水平面に接して配置されている。このような状態とすることにより、図４で示したように、長尺操作手段１５０を使用して障子１２を保持することができる。
【００３５】
図９に、図８にＢで示した部位の室内側斜視図を示す。図８は、蝶番３０及びその周辺を示す図で、交換の対象となる蝶番３０を示したものである。障子保持治具１００によって障子１２の荷重を支える必要の無くなった蝶番３０は、容易に取り外すことができ、新しい蝶番に交換される。蝶番３０の交換のために、枠１１側のねじ３１、３１、３１、３１、３１及び障子側のねじ３２、３２、３２、３２、３２を取り外せばよい。そして新しい蝶番においても同じ位置にねじにより取り付けられる。
【００３６】
蝶番３０の交換が完了した後は、上述した手順を遡るように操作することで、全ての作業が完了する。
【００３７】
障子保持治具１００を利用することにより、以上のように、蝶番３０は、安全にかつ効率よく交換される。
【００３８】
以上は、障子保持治具１００を使用した蝶番３０、３０の交換手順の１例であるが、作業環境により適宜その手順の変更、省略が可能である。例えば、室内側に広い作業スペースが確保できる場合には、短尺操作手段１６０を使用せずに、最初から長尺操作手段１５０を使用してもよい。また、障子の幅等から短尺操作手段１６０のみで十分に障子を支えることが可能である場合には、長尺操作手段１５０を使用しなくても良い。さらに、図７では、短尺操作手段１６０を係合部材１４０に、長尺操作手段１５０を係合部材１３０に係合させたが、これが逆であっても良い。いずれにおいても、蝶番３０、３０を交換するために障子２０の重量を障子保持治具１００で支えることができれば、その手順等は特に限定されるものではない。
【００３９】
さらには、障子保持治具１００は２つの係合部材１３０、１４０を備えているが、係合部材を１つとし、短尺操作手段と長尺操作手段との交換時に、先に短尺操作手段を取り外し、その後長尺操作手段を取り付けることとしても良い。
【００４０】
図１０、図１１は第二実施形態にかかる障子保持治具２００が備える主要部材を示す図である。図１０は固定手段２１０を示す図で、（ａ）が上面図、（ｂ）が正面図、（ｃ）が下面図、（ｄ）が側面図である。図１１は操作手段を示す図で、図１１（ａ）は長尺操作手段２５０、図１１（ｂ）は短尺操作手段２６０である。また、図１１では図１１（ａ）、図１１（ｂ）のそれぞれの中で、上段が上面図、下段が正面図を示している。障子保持治具１００は、室内視で右側の縦框に蝶番が取り付けられ、障子の左側を操作して障子を開放する形態の開口部装置を対象としている。一方、障子保持治具２００は、逆に、室内視で左側の縦框に蝶番が取り付けられ、障子の右側を操作して障子を開放する形態の開口部装置を対象としている。図１０からわかるように、障子保持治具２００の固定手段２１０は、固定手段１１０と対称関係を有する形状に形成されており、当該関係以外については、固定手段１１０と同じである。長尺操作手段２５０及び短尺操作手段２６０については、長尺操作手段１５０及び短尺操作手段１６０と同じであり、共通部材とすることも可能である。
【００４１】
従って、障子保持治具１００と障子保持治具２００とにより、左又は右に開くいずれの障子に対しても、本発明の障子保持治具を使用することができ、汎用性の高い障子保持治具とされている。
【００４２】
図１２は、第三実施形態にかかる障子保持治具３００のうちの固定手段３１０を示した図である。図１２では、（ａ）が上面図、（ｂ）が正面図、（ｃ）が下面図、（ｄ）が側面図である。障子保持治具３００の長尺操作手段及び短尺操作手段は、前述の長尺操作手段１５０、２５０及び短尺操作手段１６０、２６０とその構造が同じで、共有して使用することも可能なので省略する。
【００４３】
固定手段３１０は、固定手段１１０、２１０が備える主要部材を全て備え、その構造も概ね同じである。一方で、固定手段３１０は、箱体３１５の側面を形成する押え板３１１、受け板３１２及び端部板１１３の、厚みを構成する面のうちの箱体３１５の上下に位置する面にねじ孔３８０、３８０、３８０、３８０、３８０、３８０、３９０、３９０、３９０、３９０、３９０、３９０（ねじ孔３９０、３９０、…は図１２（ｃ）においてねじ３９１、３９１、…により見えない。）を有している。また底板３１４には、当該ねじ孔３８０、３８０、…に対応した位置に通し孔が設けられている。これにより、固定手段３１０においては、図１２に示したように、底板３１４がねじ孔３９０、３９０、…側（図１２（ｂ）において紙面下側）に配置され、ねじ３９１、３９１、…により固定されている。これにより固定手段３１０は図２に示した固定手段１１０と同じように障子に取り付け可能となる。
【００４４】
また、底板３１４をねじ孔３８０、３８０、…側（図１２（ｂ）において紙面上側）に配置して、ねじ３９１、３９１、…で留めることにより、ねじ孔３９０、３９０、…側（図１２（ｂ）において紙面下側）が開口する。これにより固定手段３１０は、図１０に示した固定手段２１０と同じように障子に取り付け可能となる。
【００４５】
このように、固定手段３１０は、底板３１４を押え板３１３、受け板３１２及び端部板３１３で構成される側板のいずれの端部にも配置可能とされている。これにより、１つの固定手段３１０で、右及び左開きのいずれの開口部装置にも対応することができ、作業者の利便性を向上させることができる。
【００４６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う障子保持治具もまた本発明の技術的範囲に包含されるものとして理解されなければならない。
【図面の簡単な説明】
【００４７】
【図１】第一実施形態にかかる障子保持治具が、開口部装置に取り付けられている一場面を模式的に示した斜視図である。
【図２】固定手段を示した図で、（ａ）が上面図、（ｂ）が正面図、（ｃ）が下面図、（ｄ）が側面図である。
【図３】操作手段を示す平面図で、図３（ａ）は長尺操作手段、図３（ｂ）は短尺操作手段である。
【図４】蝶番を交換するときにおける各部材の配置及びその姿勢を示す図である。
【図５】室内側から開口部装置及び固定手段を見た一場面を模式的に示す図である。
【図６】係合部材に短尺操作手段を取り付ける一場面を示す図である。
【図７】操作手段を短尺操作手段から長尺操作手段に交換する一場面を示す図である。
【図８】蝶番を交換することが可能である障子の姿勢とされた開口部装置の上面図である。
【図９】図８にＢで示した部位の室内側斜視図である。
【図１０】第二実施形態にかかる障子保持治具の固定手段を示す図で、（ａ）が上面図、（ｂ）が正面図、（ｃ）が下面図、（ｄ）が側面図である。
【図１１】第二実施形態にかかる障子保持治具の操作手段を示す平面図で、図１１（ａ）は長尺操作手段、図１１（ｂ）は短尺操作手段である。
【図１２】第三実施形態にかかる障子保持治具のうちの固定手段を示した図である。
【符号の説明】
【００４８】
１０  開口部装置
１１  枠体
１２  障子
１３  パネル
１４  框
３０  蝶番
１００  障子保持治具
１１０  固定手段
１１５  箱体
１２０ａ  留め具
１２０ｂ  留め具
１３０  係合部材
１４０  係合部材
１３２  筒状体
１４２  筒状体
１５０  長尺操作手段
１５１  操作棒
１５２  被係合部材
１６０  短尺操作手段
１６１  操作棒
１６２  被係合部材
【図１】
2007070948.tif 000003
【図２】
2007070948.tif 000004
【図３】
2007070948.tif 000005
【図４】
2007070948.tif 000006
【図５】
2007070948.tif 000007
【図６】
2007070948.tif 000008
【図７】
2007070948.tif 000009
【図８】
2007070948.tif 000010
【図９】
2007070948.tif 000011
【図１０】
2007070948.tif 000012
【図１１】
2007070948.tif 000013
【図１２】
2007070948.tif 000014